(57)【特許請求の範囲】
【請求項１】
把手やベルト等の持ち運び手段を備えている虫籠であって、この持ち運び手段は、昆虫等を収容する空間を形成する周壁の開口縁部同士を閉止する固定具を有し、昆虫等を収容する空間を形成する周壁の開口縁部同士に係合突起を設け、持ち運び手段の固定具を、両係合突起に跨がるように嵌装させたことを特徴とする虫籠。
【請求項２】
持ち運び手段の固定具は、両係合突起に跨がるように嵌装する挿通溝を有する請求項１に記載の虫籠。
【請求項３】
持ち運び手段の固定具は、横方向にスライド移動して両係合突起に跨がるように嵌装する請求項１または２に記載の虫籠。
【請求項４】
係合突起の一端に立設板を備え、係合突起の他端側における開口縁部に係止リブを備え、係合突起に跨がるように嵌装している固定具の両端部を、立設板と係止リブとで挟み込み、係合突起に嵌装している固定具の離脱を阻止した請求項１乃至３のいずれかに記載の虫籠。
【請求項５】
２つの籠構成体の開口縁部同士に係合突起を設け、両籠構成体を嵌合させた虫籠であって、虫籠の長手方向の２ヶ所に係合突起を配する一方、湾曲して外側に向けて弾性力が働いている把手の両端部に固定具を配し、把手の両固定具を、２ヶ所に配した両係合突起の内側から外側に向けてスライド移動させ、両固定具を両係合突起に嵌装させたことを特徴とする虫籠。
【請求項６】
２つの籠構成体の開口縁部同士に係合突起を設け、両籠構成体を嵌合させた虫籠であって、虫籠の長手方向の２ヶ所に係合突起を配する一方、ベルトの両端部に固定具を配し、ベルトの両固定具を、２ヶ所に配した両係合突起の外側から内側に向けてスライド移動させ、両固定具を両係合突起に嵌装させたことを特徴とする虫籠。
【請求項７】
ベルトの中間部分を持ち上げて虫籠を吊り下げた際、ベルトの両端部に配した固定具に、内側へ向く力が作用する請求項６に記載の虫籠。
【発明の詳細な説明】
【０００１】
【発明の属する技術分野】
本発明は、把手やベルト等の持ち運び手段を備えている虫籠に関するものである。
【０００２】
【従来の技術】
従来より、昆虫等を収容する虫籠として、種々の構造のものが提案されている。例えば、実開昭５１−８４９８８号公報に示された虫籠は、薄膜ヒンジ部を介して互いに嵌合できるように連設した２つ割りの籠構成体から成り、この籠構成体の開放上面のそれぞれに環部を設けている。この虫籠は、籠構成体の開放上面に設けた環部同士を接合させ、この接合状態にある環部に吊紐を結び付けることで、虫籠の持ち運びを容易に行なうと共に、２つ割りの籠構成体の上面が開放しないように固定するものである。
【０００３】
【発明が解決しようとする課題】
しかしながら、従来の虫籠においては、籠構成体の環部から吊紐が外れてしまう様な事態が頻繁に生じていた。例えば、籠構成体の環部に、その両端を結び付けている吊紐を肩に掛けて虫籠を持ち運んでいるときに、昆虫等を追って野山を走ると、虫籠に激しい振動が生じて、環部に結び付けている吊紐がほどけてしまうのである。その結果、２つ割りの籠構成体の上面が不意に開放された状態となり、収容している昆虫等が逃げ出してしまうことがあった。
【０００４】
そこで本発明は、叙上のような従来存した問題点に鑑み創出されたもので、把手やベルト等の持ち運び手段を備えている虫籠であって、この持ち運び手段は、昆虫等を収容する空間を形成する周壁の開口縁部同士を閉止する固定具を有することで、昆虫等を収容する空間を形成している周壁が不意に開放される様な事態の発生を確実に防止しつつ、把手やベルトを取り付けることのできる虫籠を提供することを目的としたものである。
【０００５】
【課題を解決するための手段】
このため、本発明にあっては、把手やベルト等の持ち運び手段を備えている虫籠であって、この持ち運び手段は、昆虫等を収容する空間を形成する周壁の開口縁部同士を閉止する固定具を有し、昆虫等を収容する空間を形成する周壁の開口縁部同士に係合突起を設け、持ち運び手段の固定具を、両係合突起に跨がるように嵌装させたことで、上述した課題を解決した。
【０００７】
さらに、持ち運び手段の固定具は、両係合突起に跨がるように嵌装する挿通溝を有することで、同じく上述した課題を解決した。
【０００８】
また、持ち運び手段の固定具は、横方向にスライド移動して両係合突起に跨がるように嵌装することで、同じく上述した課題を解決した。
【０００９】
加えて、係合突起の一端に立設板を備え、係合突起の他端側における開口縁部に係止リブを備え、係合突起に跨がるように嵌装している固定具の両端部を、立設板と係止リブとで挟み込み、係合突起に嵌装している固定具の離脱を阻止したことで、同じく上述した課題を解決した。
【００１０】
また、２つの籠構成体の開口縁部同士に係合突起を設け、両籠構成体を嵌合させた虫籠であって、虫籠の長手方向の２ヶ所に係合突起を配する一方、湾曲して外側に向けて弾性力が働いている把手の両端部に固定具を配し、把手の両固定具を、２ヶ所に配した両係合突起の内側から外側に向けてスライド移動させ、両固定具を両係合突起に嵌装させたことで、同じく上述した課題を解決した。
【００１１】
この他、２つの籠構成体の開口縁部同士に係合突起を設け、両籠構成体を嵌合させた虫籠であって、虫籠の長手方向の２ヶ所に係合突起を配する一方、ベルトの両端部に固定具を配し、ベルトの両固定具を、２ヶ所に配した両係合突起の外側から内側に向けてスライド移動させ、両固定具を両係合突起に嵌装させたこで、同じく上述した課題を解決した。
【００１２】
また、ベルトの中間部分を持ち上げて虫籠を吊り下げた際、ベルトの両端部に配した固定具に、内側へ向く力が作用することで、同じく上述した課題を解決した。
【００１３】
【発明の実施の形態】
以下に、図面を参照して本発明の一実施の形態を説明する。本発明に係る虫籠１は、図１に示すように、２つの籠構成体１Ａ・１Ｂの開口縁部同士を嵌合させて昆虫等を収容する所定の空間を形成している。虫籠１を構成する２つの籠構成体１Ａ・１Ｂは、例えば、熱可塑性樹脂、熱硬化性樹脂等のプラスチック製の部材を用いて形成されている。具体的には、熱可塑性樹脂として、好ましくはポリプロピレン、スチロール樹脂、ハイインパクトスチロール樹脂等を用いてそれぞれが一体成形されている。また、籠構成体１Ａ・１Ｂの周壁には、複数の細長い孔２が並列状に開穿されている。さらに、一方の籠構成体１Ａには、開閉式の扉３が取り付けられている。
【００１４】
虫籠１を構成する２つの籠構成体１Ａ・１Ｂは、図１に示すように、その下方において、両開口縁部同士が連結可能となっている。この連結の手段としては、例えば、一方の籠構成体１Ａの下方における開口縁部に、一対の係合孔４を設ける。また、他方の籠構成体１Ｂの下方における開口縁部に、フック状に形成された一対の係合片５を設ける。そして、一方の籠構成体１Ａの係合孔４に他方の籠構成体１Ｂの係合片５を係合させることで、２つの籠構成体１Ａ・１Ｂの下方における開口縁部同士を連結するのである。また、連結の手段として、例えば、一方の籠構成体１Ｂの係合片５を、他方の籠構成体１Ａの周壁に設けた細長い孔２の下端部に係合させるものであってもよい。
【００１５】
この他、２つの籠構成体１Ａ・１Ｂが当接する開口縁部の全体に、係合する段差を設けておくと、より強固な連結状態を維持できる。また、図１に示すように、虫籠１の下方には、一対の脚６が設けられている。この脚６は、２つの籠構成体１Ａ・１Ｂのそれぞれに、略半円状の脚構成体が付設されており、両籠構成体１Ａ・１Ｂが連結されたとき、略円形の脚６を形成するものである。そして、両脚構成体が当接する開口縁部の全体にも係合する段差を設けておくと、前記籠構成体１Ａ・１Ｂの段差と同様に、両籠構成体１Ａ・１Ｂのより強固な連結状態を維持できる。
【００１６】
尚、籠構成体１Ａ・１Ｂの下方における連結の手段は、図１に示すものに限定されず、例えば、薄肉ヒンジ等を介して両籠構成体１Ａ・１Ｂを連結させる等、どの様な手段を用いても差し支えない。また、虫籠１自体の形状も図に示すものに限定されず、例えば、所定の周壁により昆虫等を収容する空間を形成するものであれば、どの様な形状の虫籠１であっても差し支えない。
【００１７】
本発明に係る虫籠は、図１・図５に示すように、把手７やベルト８等の持ち運び手段Ｐを備えていることに特徴がある。そして、持ち運び手段Ｐは、両籠構成体１Ａ・１Ｂの開口縁部同士を閉止する固定具９・１０を備えている。この固定具９・１０は、嵌合している両籠構成体１Ａ・１Ｂの開口縁部同士が不意に開放される様な事態の発生を確実に防止するものである。
【００１８】
具体的には、図２・図４に示すように、２つの籠構成体１Ａ・１Ｂの上方における開口縁部同士に係合突起１１Ａ・１１Ｂを設け、この係合突起１１Ａ・１１Ｂに跨がるように、把手７の固定具９・ベルト８の固定具１０を嵌装させている。この把手７の固定具９は、湾曲している把手７の両端部において、互いに内側を向くようにして一体的に付設されている。一方、ベルト８の固定具１０は、その上面に環部１２が設けられ、この環部１２にベルト８が巻回されてベルト８に固定されている。
【００１９】
把手７の固定具９・ベルト８の固定具１０が嵌装する係合突起１１Ａ・１１Ｂは、図２・図４に示すように、２つの籠構成体１Ａ・１Ｂの開口縁部のそれぞれに設られている。すなわち、両籠構成体１Ａ・１Ｂの開口縁部における隣り合う位置に、両係合突起１１Ａ・１１Ｂが互いに接合可能となるように設けられている。それぞれの係合突起１１Ａ・１１Ｂは、例えば、図４に示すように、垂設片１１ｃと、垂設片１１ｃの上端に固定した外向きの横設片１１ｄとで、全体が略逆Ｌ字板状に形成されている。そして、両籠構成体１Ａ・１Ｂの開口縁部を互いに嵌合させて係合突起１１Ａ・１１Ｂの垂設片１１ｃ同士を接合させると、両係合突起１１Ａ・１１Ｂは、正面から見て、全体が略Ｔ字状となる。また、図２に示すように、係合突起１１Ａ・１１Ｂの先端部分を半円形状にすると、係合突起１１Ａ・１１Ｂに固定具９を滑らかに嵌装できる。さらに、図６（ａ）・図７（ａ）に示すように、係合突起１１Ａ・１１Ｂの横設片１１ｄは、垂設片１１ｃよりも若干長く形成されている。
【００２０】
そして、把手７の両端部に付設された固定具９は、図１・図２に示すように、係合突起１１Ａ・１１Ｂに跨がるように嵌装する挿通溝１３を備えている。同様に、ベルト８の固定具１０は、図４に示すように、係合突起１１Ａ・１１Ｂに跨がるように嵌装する挿通溝１４を備えている。これらの固定具９・１０における挿通溝１３・１４は、いずれも係合突起１１Ａ・１１Ｂを構成する横設片１１ｄを保持する横溝部分と、垂設片１１ｃを保持する縦溝部分を備え、正面から見て、全体が略Ｔ字状に形成されている。
【００２１】
尚、係合突起１１Ａ・１１Ｂと固定具９・１０の挿通溝１３・１４等の形状は、図に示すものに何ら限定されることはない。例えば、係合突起１１Ａ・１１Ｂを構成する横設片１１ｄと垂設片１１ｃを、ほぼ同じ長さに形成してもよい。また、両係合突起１１Ａ・１１Ｂを所定の凸部により形成し、固定具９・１０が、両凸部の離隔を阻止する凹部を備えるように形成してもよい。さらに、籠構成体１Ａ・１Ｂの開口縁部に所定の凹部を設け、固定具９・１０が、両凹部の離隔を阻止する凸部を備えるように形成してもよい。すなわち、両係合突起１１Ａ・１１Ｂに固定具９・１０が跨がるように嵌装して、両籠構成体１Ａ・１Ｂの開口縁部同士が不意に開放される様な事態の発生を防止できるものであれば、係合突起１１Ａ・１１Ｂと固定具９・１０は、どの様な形状であっても差し支えない。さらに、本発明は、籠構成体１Ａ・１Ｂの開口縁部に所定の部材を設け、所定の固定具９・１０が、両部材の離隔を阻止する全ての形状を含むものである。
【００２２】
また、図２・図４に示すように、係合突起１１Ａ・１１Ｂの一端には、立設板１５を設け、係合突起１１Ａ・１１Ｂの他端側における籠構成体１Ａ・１Ｂの開口縁部には、突出した係止リブ１６を設けている。そして、図２に示すように、把手７の固定具９を横方向にスライド移動させて、固定具９を両係合突起１１Ａ・１１Ｂに跨がるように嵌装させる。この際、図３に示すように、把手７における固定具９の両端部を、立設板１５と係止リブ１６とで挟み込み、係合突起１１Ａ・１１Ｂに嵌装している固定具９の離脱を確実に阻止している。この係止リブ１６は、上方に向けて若干突出して滑らかな傾斜面を備えており、固定具９のスライド移動を助けている。同様に、図４・図５に示すように、ベルト８の固定具１０を横方向にスライド移動させて、固定具１０を係合突起１１Ａ・１１Ｂに嵌挿させたときも、固定具１０の両端を、立設板１５と係止リブ１６とで挟み込み、係合突起１１Ａ・１１Ｂに嵌装している固定具１０の離脱を確実に阻止している。
【００２３】
そして、本発明に係る虫籠１は、図１・図３に示すように、係合突起１１Ａ・１１Ｂを、虫籠１の長手方向における２ヶ所に配している。この２ヶ所に配された把手７用の係合突起１１Ａ・１１Ｂにおいて、立設板１５は、図３に示すように、いずれも虫籠１の長手方向における外側に設けられている。よって、持ち運び手段Ｐとして、湾曲して外側に向けて弾性力が働いている把手７を用いたときには、図３・図６（ａ）に示すように、把手７の固定具９を、虫籠１における内側から外側に向けてスライド移動させて係合突起１１Ａ・１１Ｂに嵌装させるのに好ましいものとなる。この際、図６（ａ）・（ｂ）に示すように、内側を向いている固定具９の先端部に所定の段部１７を設けたときには、この段部１７と係止リブ１６が係合状態となり、係合突起１１Ａ・１１Ｂに嵌装している固定具９の離脱が確実に阻止されている。
【００２４】
一方、図５（ａ）に示すように、２ヶ所に配された係合突起１１Ａ・１１Ｂにおいて、立設板１５を、いずれも虫籠１の長手方向における内側に設けてもよい。この場合、図５（ａ）に示すように、ベルト８の固定具１０を、虫籠１における外側から内側に向けてスライド移動させて係合突起１１Ａ・１１Ｂに嵌装させるのに好ましいものとなる。この際、図７（ａ）・（ｂ）に示すように、固定具１０の先端部に所定の段部１８を設けたときには、この段部１８と係止リブ１６が係合状態となり、係合突起１１Ａ・１１Ｂに嵌装している固定具１０の離脱が確実に阻止されている。また、固定具１０の基端部における上方に所定の段部１９を設けたときには、図７（ｂ）に示すように、固定具１０の段部１９と立設片１５が一体化し、係合突起１１Ａ・１１Ｂに嵌装している固定具１０の装着状態をきれいに仕上げることができる。
【００２５】
尚、図５（ｂ）に示すように、係合突起１１Ａ・１１Ｂにおいて、立設板１５を、いずれも虫籠１の長手方向における外側に設け、ベルト８の固定具１０を、虫籠１における内側から外側に向けてスライド移動させて係合突起１１Ａ・１１Ｂに嵌装させるものであってもよい。
【００２６】
【発明の効果】
本発明は、把手７やベルト８等の持ち運び手段Ｐを備えている虫籠１であって、この持ち運び手段Ｐは、昆虫等を収容する空間を形成する周壁の開口縁部同士を閉止する固定具９・１０を有することから、虫籠１の周壁が不意に開放されてしまうような事態の発生を確実に防止できる。すなわち、持ち運び手段Ｐは、虫籠１の持ち運びを容易に行なうと共に、昆虫等を収容する空間を形成する周壁の開口縁部同士を確実に閉止するものである。
【００２７】
また、昆虫等を収容する空間を形成する周壁の開口縁部同士に係合突起１１Ａ・１１Ｂを設け、持ち運び手段Ｐの固定具９・１０を、両係合突起１１Ａ・１１Ｂに跨がるように嵌装させているため、隣り合うように接っしている両係合突起１１Ａ・１１Ｂの接合状態が、固定具９・１０により確実に維持される。従って、把手７やベルト８を介して虫籠１を持ち運んでいるときに、昆虫等を追って野山を走り回った場合であっても、昆虫等を収容する空間を形成している周壁の開口縁部同士を確実に閉止できる。
【００２８】
さらに、持ち運び手段Ｐの固定具９・１０は、両係合突起１１Ａ・１１Ｂに跨がるように嵌装する挿通溝１３・１４を有することから、この挿通溝１３・１４により両係合突起１１Ａ・１１Ｂを確実に保持できる。そのため、昆虫等を収容する空間を形成している周壁の開口縁部同士が不意に離れて虫籠１が開放された状態となり、収容している昆虫等が逃げ出してしまう事態の発生を確実に防止できる。
【００２９】
また、持ち運び手段Ｐの固定具９・１０は、横方向にスライド移動して両係合突起１１Ａ・１１Ｂに跨がるように嵌装するため、誰もが簡単に、固定具９・１０を両係合突起１１Ａ・１１Ｂに嵌装できる。
【００３０】
加えて、係合突起１１Ａ・１１Ｂの一端に立設板１５を備え、係合突起１１Ａ・１１Ｂの他端側における開口縁部に係止リブ１６を備え、係合突起１１Ａ・１１Ｂに跨がるように嵌装している固定具９・１０の両端部を、立設板１５と係止リブ１６とで挟み込んでいるため、係合突起１１Ａ・１１Ｂに嵌装している固定具９・１０の離脱を確実に阻止できる。
【００３１】
また、２つの籠構成体１Ａ・１Ｂの開口縁部同士に係合突起１１Ａ・１１Ｂを設け、両籠構成体１Ａ・１Ｂを嵌合させた虫籠１であって、虫籠１の長手方向の２ヶ所に係合突起１１Ａ・１１Ｂを配する一方、湾曲して外側に向けて弾性力が働いている把手７の両端部に固定具９を配し、把手７の両固定具９を、２ヶ所に配した両係合突起１１Ａ・１１Ｂの内側から外側に向けてスライド移動させ、両固定具９を両係合突起１１Ａ・１１Ｂに嵌装させたことから、把手７の固定具９を籠構成体１Ａ・１Ｂの係合突起１１Ａ・１１Ｂに嵌装させた状態を確実に維持できる。すなわち、把手７は、その全体が内側に向けて湾曲しているため、把手７には弾性力が働いてその両端部が外側に向けて元に戻ろうとする作用が生じる。よって、この弾性力が働いている状態で把手７を虫籠１から取り外すには、把手７の両端部を内側に向けて湾曲させる強い力が必要となる。虫籠１の使用中において、この様な強い力が把手７に加えられることは到底考えられないため、係合突起１１Ａ・１１Ｂに嵌装している固定具９の離脱が確実に阻止されるのである。
【００３２】
この他、２つの籠構成体１Ａ・１Ｂの開口縁部同士に係合突起１１Ａ・１１Ｂを設け、両籠構成体１Ａ・１Ｂを嵌合させた虫籠１であって、虫籠１の長手方向の２ヶ所に係合突起１１Ａ・１１Ｂを配する一方、ベルト８の両端部に固定具１０を配し、ベルト８の両固定具１０を、２ヶ所に配した両係合突起１１Ａ・１１Ｂの外側から内側に向けてスライド移動させ、両固定具１０を両係合突起１１Ａ・１１Ｂに嵌装させたことから、ベルト８の固定具１０を籠構成体１Ａ・１Ｂの係合突起１１Ａ・１１Ｂに嵌装させた状態を確実に維持できる。すなわち、ベルト８の中間部分を持ち上げて虫籠１を吊り下げた際には、ベルト８の両端部に配した固定具１０には、共に内側へ向く力が作用する。よって、この内側へ向く力が作用している状態でベルト８の固定具１０を虫籠１から取り外すには、ベルト８の固定具１０を虫籠１の外側に向けて引っ張る力が必要となる。虫籠１をベルト８により吊り下げている状態において、この様な力がベルト８の固定具１０に加えられることは到底考えられないため、係合突起１１Ａ・１１Ｂに嵌装しているベルト８の固定具１０の離脱が確実に阻止されるのである。
【図面の簡単な説明】
【図１】本発明の一実施の形態を示したもので、２つの籠構成体からなる虫籠に把手を取り付けた状態を示す一部分解した斜視図である。
【図２】把手の固定具を、虫籠の係合突起に嵌装する状態を示す一部拡大した斜視図である。
【図３】虫籠に把手を固定した状態を示す側面図である。
【図４】ベルトの固定具を、虫籠の係合突起に嵌装する状態を示す一部拡大した斜視図である。
【図５】虫籠にベルトを固定した状態を示しており、（ａ）はベルトの両固定具を、虫籠の長手方向における外側から内側に向けてスライド移動させ、その固定具を係合突起に嵌装させる状態の側面図、（ｂ）はベルトの両固定具を、虫籠の内側から外側に向けてスライド移動させ、その固定具を係合突起に嵌装させる状態の側面図である。
【図６】虫籠に把手を固定する状態を示しており、（ａ）は把手の固定具を係合突起に嵌装させる状態の一部拡大した側面図、（ｂ）は把手の固定具が立設板と係止リブとで挟み込まれた固定状態の一部拡大した側面図である。
【図７】虫籠にベルトを固定する状態を示しており、（ａ）はベルトの固定具を係合突起に嵌装させる状態の一部拡大した側面図、（ｂ）はベルトの固定具が立設板と係止リブとで挟み込まれた固定状態の一部拡大した側面図である。
【符号の説明】
Ｐ…持ち運び手段
１…虫籠
１Ａ…籠構成体
１Ｂ…籠構成体
２…孔
３…扉
４…係合孔
５…係合片
６…脚
７…把手
８…ベルト
９…固定具
１０…固定具
１１Ａ…係合突起
１１Ｂ…係合突起
１１ｃ…垂設片
１１ｄ…横設片
１２…環部
１３…挿通溝
１４…挿通溝
１５…立設板
１６…係止リブ
１７…段部
１８…段部
１９…段部
【図１】
0003944400.tif 000002
【図２】
0003944400.tif 000003
【図３】
0003944400.tif 000004
【図４】
0003944400.tif 000005
【図５】
0003944400.tif 000006
【図６】
0003944400.tif 000007
【図７】
0003944400.tif 000008